(57)【要約】【課題】  低消費電力型である静電アクチュエータ型インクジェット記録装置において、気泡排出性及びインク吐出性をさらに高める。【解決手段】  キャリッジに搭載された静電型インクジェットヘッドからインク滴を飛翔させて画像を形成するインクジェット記録装置であって、  前記静電型インクジェットヘッドとインクを貯留するメインインクタンクとの間のインク流路にインクを一時的に貯留するサブインクタンクを備え、  前記サブインクタンクは、前記サブインクタンク内部のインクを加熱する加熱部材と、前記サブインクタンク内部のインクの温度を検出する温度検出部材を備え、  前記インクの粘度が２５℃において１．５〜９ｍＰａ・ｓであるインクジェット記録装置。【選択図】  図１
2006095876.tif 000002
【特許請求の範囲】
【請求項１】
キャリッジに搭載された静電型インクジェットヘッドからインク滴を飛翔させて画像を形成するインクジェット記録装置であって、
前記静電型インクジェットヘッドとインクを貯留するメインインクタンクとの間のインク流路にインクを一時的に貯留するサブインクタンクを備え、
前記サブインクタンクは、前記サブインクタンク内部のインクを加熱する加熱部材と、前記サブインクタンク内部のインクの温度を検出する温度検出部材を備え、
前記インクの粘度が２５℃において１．５〜９ｍＰａ・ｓであるインクジェット記録装置。
【請求項２】
前記加熱部材は、前記インクの温度が２５℃以上となるようにインクを加熱することを特徴とする請求項１記載のインクジェット記録装置。
【請求項３】
前記サブインクタンクは、前記キャリッジの外部に設置されていることを特徴とする請求項１又は２記載のインクジェット記録装置。
【請求項４】
前記サブインクタンクの内壁面の下方側は濡れ性が高く、前記内壁面の上方側は撥水性が高いことを特徴とする請求項１〜３の何れか１項に記載のインクジェット記録装置。
【請求項５】
前記加熱部材は、インクカートリッジ交換時及びヘッドクリーニング時にのみ、インク温度検出結果に基づきインクの加熱を行うことを特徴とする請求項１〜４の何れか１項に記載のインクジェット記録装置。
【請求項６】
前記加熱部材は、インクの種類毎に異なる時間加熱を行うことを特徴とする請求項１〜５の何れか１項に記載のインクジェット記録装置。
【発明の詳細な説明】
【技術分野】
【０００１】
本発明は、静電アクチュエータ型のインクジェットヘッドを搭載した静電アクチュエータ型インクジェット記録装置に関する。
【背景技術】
【０００２】
インクジェット記録装置は、用紙上にインク適を吐出して画像を形成する記録装置である。インクを吐出する機構としては、圧電型、サーマル型等複数の種類のものが実用化されているが、その一つとして静電アクチュエータ型インクジェット記録装置がある。
【０００３】
静電アクチュエータ型インクジェット記録装置は、圧電型やサーマル型と比べて、インク吐出に必要な駆動電力が低い低消費電力型のインクジェット記録装置である。静電アクチュエータ型インクジェット記録装置は、静電気力によりインクを吐出する静電アクチュエータ型インクジェットヘッドを有している。この静電アクチュエータ型インクジェットヘッドは、インクが貯留されている圧力室の一壁を為す振動板を静電気力によって変位・振動させることにより、圧力室内のインクを圧力室に連通したインクノズルから吐出させるものである。振動板は、電極板に対して狭いギャップを介して対向しており、振動板と電極板との間に駆動電圧を印加することにより変位・振動するように構成されている（例えば特許文献１参照）。
【０００４】
ところで、一般にインクジェットプリンタにおいては、インクタンクからインクノズルに至るインク流路内に気泡が発生する場合がある。この気泡はインクの吐出性を低下させてドット抜け等の印刷不具合が発生する一因となる。したがって、印刷品質を高めるためには予めクリーニング処理によってこの気泡を外部に排出する必要がある。
【０００５】
この気泡排出性及びインク吐出性を高めるために、インクジェットプリンタにおいては、インク供給源となるメインインクタンクとインクジェットヘッドとの間にサブインクタンクを設けたものもある。例えば、特許文献２に開示のインクジェットプリンタは、メインインクタンクから供給される高粘性インクを一時的に貯留するサブタンクを備えており、このサブタンクに貯留された高粘性インクをヒータ線により加熱し、高粘性インクを低粘性化させてインクジェットヘッドから気泡の排出性を高めるように構成されている。
【０００６】
また、特許文献３に開示のインクジェットプリンタは、静電型、圧電型、サーマル型の各種インクジェットヘッドにおいて、共通液室の容積を適切にすることにより、気泡排出性と吐出とを両立させている。
【０００７】
【特許文献１】特開２００１−３００４２１
【特許文献２】特開２００３−３４１０２７
【特許文献３】特開２００３−３２６７１４
【発明の開示】
【発明が解決しようとする課題】
【０００８】
静電アクチュエータ型インクジェット記録装置においても、高品位な印刷を実行するためには、その他のインクジェットプリンタと同様に、気泡排出性を高めてインク吐出性を高める必要がある。しかしながら、低消費電力型である静電アクチュエータ型インクジェット記録装置において、気泡排出性及びインク吐出性を高めるためには、さらなる改良が必要とされている。
【０００９】
本発明は、以上を鑑み、気泡排出性及び吐出性を高めることが可能な低消費電力型である静電アクチュエータ型インクジェット記録装置を提供することを目的とする。
【課題を解決するための手段】
【００１０】
（１）  キャリッジに搭載された静電型インクジェットヘッドからインク滴を飛翔させて画像を形成するインクジェット記録装置であって、
前記静電型インクジェットヘッドとインクを貯留するメインインクタンクとの間のインク流路にインクを一時的に貯留するサブインクタンクを備え、
前記サブインクタンクは、前記サブインクタンク内部のインクを加熱する加熱部材と、前記サブインクタンク内部のインクの温度を検出する温度検出部材を備え、
前記インクの粘度が２５℃において１．５〜９ｍＰａ・ｓであるインクジェット記録装置。
（２）  前記加熱部材は、前記インクの温度が２５℃以上となるようにインクを加熱することを特徴とする（１）記載のインクジェット記録装置。
（３）  前記サブインクタンクは、前記キャリッジの外部に設置されていることを特徴とする（１）又は（２）記載のインクジェット記録装置。
（４）  前記サブインクタンクの内壁面の下方側は濡れ性が高く、前記内壁面の上方側は撥水性が高いことを特徴とする（１）〜（３）の何れか１項に記載のインクジェット記録装置。
（５）  前記加熱部材は、インクカートリッジ交換時及びヘッドクリーニング時にのみ、インク温度検出結果に基づきインクの加熱を行うことを特徴とする（１）〜（４）の何れか１項に記載のインクジェット記録装置。
（６）  前記加熱部材は、インクの種類毎に異なる時間加熱を行うことを特徴とする（１）〜（５）の何れか１項に記載のインクジェット記録装置。
【発明の効果】
【００１１】
本発明の静電型インクジェット記録装置は、静電型インクジェットヘッドとインクを貯留するメインインクタンクとの間のインク流路にインクを一時的に貯留するサブインクタンクを備えており、このサブインクタンクは、サブインクタンク内部のインクを加熱する加熱部材と、サブインクタンク内部のインクの温度を検出する温度検出部材を備え、インクの粘度が２５℃において１．５〜９ｍＰａ・ｓである。したがって、本発明によれば、サブインクタンクによってインクが加熱されることによって、インクの粘度を低下させることが可能となり、インク残量によらずインク流路を流れるインクの流動性を高めることができる。よって、インク流路内に気泡が滞留しているような場合であっても、クリーニング処理を行うことにより素早く気泡を装置外に排出することが可能であり、ドット抜けが生じにくい高品位なインクジェット記録装置を提供することが可能である。
【００１２】
具体的には、加熱部材は、インクの温度が２５℃以上となるようにインクを加熱するため、インクの粘度は１．５〜９ｍＰａ・ｓと十分に低下する。よって、インク流路を流れるインクの流動性を高めることが可能となり、インク流路内に気泡が滞留しているような場合であっても、クリーニング処理を行うことにより素早く気泡を装置外に排出することが可能であり、ドット抜けが生じにくい高品位なインクジェット記録装置を提供することが可能である。
【００１３】
また、サブインクタンクは、キャリッジの外部に設置されているので、加熱部材や温度検出部材用の配線がキャリッジとともに可動することが無く、固定した状態とすることができる。したがって、故障や誤動作が少なくなり信頼性の高いインクジェット記録装置を提供することができる。また、加熱部材がサブインクタンクとともにインクを加熱しても、インクジェットヘッド自体は加熱部材により直接加熱されないため、インクジェットヘッドが熱の影響により誤動作が生じるといった懸念無くインクジェット記録装置を稼働させることができる。
【００１４】
また、サブインクタンクの内壁面の下方側は濡れ性が高く、前記内壁面の上方側は撥水性が高くなるように構成されているので、サブインクタンク内においてインクがなるべく上方から下方に滑り落ちるようにするとともに、インクと内壁面との間に気泡が滞留せず、気泡がサブインクタンク内のインク上面の大気側に素早く移動するようにして、サブインクタンクからインクジェットヘッド内部に気泡が搬送されることを防いでいる。これにより、サブインクタンクに起因するインクジェットヘッドへの気泡の混入量を減少させ、インクジェットヘッドのインク吐出性を向上させることができる。
【００１５】
また、加熱部材は、インクカートリッジ交換時及びヘッドクリーニング時にのみ、インク温度検出結果に基づきインクの加熱を行うように構成されているので、気泡がインク流路に混入していると考えられる状況でのみ、加熱部材を駆動することができる。したがって、むやみに加熱部材を駆動することにより電力消費量の増加を抑制することができ、本来省電力型である静電型インクジェット記録装置の消費電力をなるべく増加させないで、印刷品位の向上を図ることが可能となる。
【００１６】
また、加熱部材は、インクの種類毎に異なる時間加熱を行うように構成されているので、インク毎に最適な加熱時間の間だけインクを加熱して、気泡の排出性を向上させるとともに、消費電力の増大を抑制することができる。
【発明を実施するための最良の形態】
【００１７】
以下、本発明にかかる静電アクチュエータ型インクジェット記録装置について説明する。
【００１８】
本発明にかかる静電アクチュエータ型インクジェット記録装置は、静電気力によりインクを吐出する静電アクチュエータ型インクジェットヘッドを有するインクジェット記録装置である。この静電アクチュエータ型インクジェット記録装置に用いられるインクのインク粘度は、インク流路内の気泡排出性を高め、インク吐出性を高めるために、２５℃において、１．５〜９ｍＰａ・ｓであり、好ましくは１．５〜５ｍＰａ・ｓであり、より好ましくは２〜３ｍＰａ・ｓである。ここで、インク粘度が１．５ｍＰａ・ｓより大きいと、記録媒体へのインクの着弾時にインクがにじみが生じることなく高い印刷品位を保つことができる。また、インク粘度が９ｍＰａ・ｓより小さいとインクの流速が速く、気泡の排出性が高い。
【００１９】
本発明にかかる静電アクチュエータ型インクジェット記録装置は、インクを貯留するメインインクタンクとインクを吐出するインクジェットヘッドとの間のインク流路にサブインクタンクを備えている。このサブインクタンクは、メインインクタンクから供給されるインクを加熱することによりインクを低粘度化するものである。インクを低粘度化することにより、インク流路内でのインクの流動性が向上し、インク流路内に滞留している気泡を効率よくインクジェットヘッドのインクノズルから排出することができる。
【００２０】
以下、具体的な図面を参照しながら、この静電アクチュエータ型インクジェット記録装置の実施形態としてインクジェットプリンタを挙げ説明を行う。
【００２１】
図１は、本実施形態の静電アクチュエータ型インクジェットプリンタの部分外観斜視図である。図２は、インクジェットヘッドの要部断面図である。図３は、本実施形態の静電アクチュエータ型インクジェットプリンタにおけるインク供給流路を模式的に示したブロック図である。図４は、サブインクタンクの概要を示す模式的断面図であり、図５は、サブインクタンクの部分断面斜視図である。図６は、本実施形態の静電アクチュエータ型インクジェットプリンタのサブタンクを介したインク供給制御に関するブロック図である。
図７は、本実施形態の条件を満たすインクの粘度の温度依存性を示すグラフ例である。図８は、加熱時間とインク温度の関係を示すグラフ例である。図９は、本実施形態の静電アクチュエータ型インクジェット記録装置における動作フローを説明するフローチャートである。
【００２２】
本実施形態の静電アクチュエータ型インクジェットプリンタ１は、インクジェット方式の画像記録装置であって、図１に示すように、用紙等の記録媒体Ｓを搬送ローラ１２を介して筐体１１の後方から前方に向かう記録媒体搬送方向に搬送しつつ、記録媒体Ｓ上にインクを着弾させることにより画像を形成する装置である。
【００２３】
筐体１１の両側壁１１ａ，１１ｂには、棒状のガイドレール１３の両端がそれぞれ固定されている。このガイドレール１３は、その長手方向が記録媒体搬送方向と直交する方向（記録媒体幅方向）に配置されている。このガイドレール１３は、キャリッジ１４の移動方向を規制するガイド部材である。
【００２４】
キャリッジ１４は、ガイドレール１３に沿ってスライド可能に取り付けられるとともに、モータ１６によって駆動される駆動ベルト１５に固定されている。キャリッジ１４は、モータ１６の回転に応じて、駆動ベルト１５とともにガイドレール長手方向に沿って往復移動する。
【００２５】
また、キャリッジ１４の下面側には、インク供給チューブ１９を介してキャリッジ１４の外部から供給されるインクを記録媒体Ｓに向かって吐出するインクジェットヘッド２０が取り付けられている。インクジェットヘッド２０は、例えばＣＭＹＫの４色のインクを吐出可能なヘッドであり、キャリッジ１４を記録媒体幅方向に往復移動させつつ、搬送ローラ１２を介して記録媒体搬送方向に記録媒体を搬送することによって、記録媒体の所定領域または全面にわたってインクを吐出しながら記録媒体上に画像を記録する。このインクジェットヘッド２０は、右側側壁１１ｂ近傍に設けられたキャップ装置１８によって電源オフ等の待機時にはキャップされ外部から封止された状態で保管される。
【００２６】
インクジェットヘッド２０は、静電アクチュエータ型のインクジェットヘッドであって、図２に示すように、ガラス基板２１の上にキャビティプレート２２，ノズルプレート２３が順に積層配置された積層構造体である。
【００２７】
ガラス基板２１上には、凹部２１ａが形成されており、この凹部２１ａ上には電極板２４が配置されている。ガラス基板２１上にキャビティプレート２２が配置された状態では、電極板２４とキャビティプレート２２との間にギャップ２５が形成されている。キャビティプレート２２において電極板２４と対向する部位は薄肉の板状部材である変位板（振動板）２６とされている。
【００２８】
キャビティプレート２２とノズルプレート２３との間には、共通インク室２７，圧力室２８，及び共通インク室２７と圧力室２８を連通する圧力室連通孔２９が形成されている。
【００２９】
共通インク室２７は、ガラス基板２１及びキャビティプレート２２を貫通するインク供給孔３０が連通している。この共通インク室２７には、インク供給孔３０を介して外部のインク供給チューブ１９からインクが色毎に供給され、そして圧力室連通孔２９を介して圧力室２８内にインクが供給される。圧力室２８はノズルプレート２３に形成されたインクノズル３１に連通しており、このインクノズル３１からインクが吐出されて記録媒体上にインクが着弾する。
なお、図２では、圧力室２８は、一つしか図示されていないが、紙面手前方向又は奥行き方向に複数の圧力室が形成されており各圧力室に対して、共通インク室２７からインクが供給されるように構成されている。
【００３０】
インクジェットヘッド２０では、ヘッドドライバ３５が作り出すパルス電圧が電極板２４とキャビティプレート２２間に印加される。ヘッドドライバ３５からパルス電圧が印加されると、電極板２４に対向するキャビディプレート２２の変位板２６が静電気力によって変位・振動し、圧力室２８の容積が変化する。圧力室２８内のインクは、この変位板２６の変位・振動によりインクノズル３１から押し出され、インク適として外部に吐出される。このような、インクジェットヘッド２０は、一般に静電アクチュエータ型と呼ばれ、駆動電力が小さいため、省電力型のインクジェットプリンタに最適である。
【００３１】
本実施形態では、図１及び図３に示すように、インクは、インクを貯留保存するメインタンク４０（図１には不図示）から一方の側壁１１ｂ近傍に配置されたサブインクタンク５０を経てインクジェットヘッド２０に供給される。本実施形態では、サブインクタンク５０は、キャリッジ１４の外部に設置されたいわゆるオフキャリッジタイプである。メインインクタンク４０としては、例えば交換可能なインクカートリッジ式のものが例示される。
【００３２】
図４に示すように、サブインクタンク５０には、上面に大気解放孔５２ａが形成されたインクハウジング５２が内部に色の数に応じて形成されており、メインインクタンク４０に連通するサブインクタンク供給口５１からインクがインクハウジング５２内部に供給されて、一時的に貯留される。内部に貯留されたインクは、インク送出口５３から送出され、図１に示す供給チューブ１９を介してインクジェットヘッド２０にインクが供給される。
【００３３】
インクハウジング５２の壁部５２ｂの内部には、電熱線等からなるヒータ５５がインクハウジング５２の側面及び底面を覆うように埋設されている。このヒータ５５は、インクハウジング５２内部のインクを加熱するための加熱部材であり、インクを加熱することによりインクの粘性を低下させ、インクの流動性を向上させる。
【００３４】
また、サブインクタンク５０内部には、温度検出手段として温度センサ５６とインク残量検出手段として、インク残量センサ５７が設けられている。
温度センサ５６は、サブインクタンク５０内部のインクの温度を検出するセンサであり、サブインクタンク５０内部のインクの温度に応じた信号を温度検出回路８１に出力する。温度検出回路８１は、温度センサ５６から出力された信号を元にデジタル信号を生成して、後述する制御部７０に出力する。
【００３５】
一方、インク残量センサ５７は、サブインクタンク５０内部のインクの残量を検出するセンサであり、例えば、サブインクタンク５０内部のインクがある一定量以下となった場合に、残量低下信号をインク残量検出回路８２に出力する。インク残量検出回路８２は、インク残量センサ５７から出力された信号を元にデジタル信号を生成して、後述する制御部７０に出力する。
【００３６】
本実施形態では、サブインクタンク５０には、インク残量センサ５７の検出状況に応じてインクが供給され、そして温度センサ５６が検出したインク温度に応じてヒータ５５によるインク加熱が行われるように構成されている。この詳細については、後述する。
【００３７】
次に、図６を参照しながら、本実施形態の静電アクチュエータ型インクジェットプリンタのサブタンクを介したインク供給制御について説明する。
【００３８】
本実施形態の静電アクチュエータ型インクジェットプリンタ１は、インク供給制御用の構成機構として、先に説明した温度センサ５６と温度検出回路８１からなる温度検出部及びインク残量センサ５７とインク残量検出回路８２からなるインク残量検出部からそれぞれ検出信号が制御部７０に出力される。そして、この制御部７０からの指示に応じて、ヒータ５５とヒータ駆動回路８３からなるヒータ部、インク弁９１と弁駆動回路８４からなるインク弁部、ポンプ９２とポンプ駆動回路８５からなるポンプ部が動作制御されて、サブインクタンク５０へのインクの供給及びサブインクタンク５０内のインクの加熱が行われる。
【００３９】
制御部７０は、ＲＯＭ７１，ＣＰＵ７２，ＲＡＭ７３等から構成され、例えばＲＯＭ７１内に記憶されたファームウェアをＣＰＵ７２が実行することにより、静電アクチュエータ型インクジェットプリンタ１の各種動作制御が為される。ＲＡＭ７３は、ＣＰＵ７２の記憶領域として用いられ、ホストコンピュータから送信される各種コマンドが一時的にバッファされたり、印刷コマンドがビットマップ展開されて一時的にバッファされたりする領域として用いられる。
【００４０】
ヒータ５５は、ヒータ駆動回路８３により制御されてサブインクタンク５０内部のインクを加熱する。ヒータ駆動回路８３は、制御部７０からの指示に応じて、ヒータ５５にサブインクタンク５０内部のインクを所定時間加熱させることにより、サブインクタンク５０内の温度を一定温度以上に保つようにする。
【００４１】
インク弁９１は、メインインクタンク４０からサブインクタンク５０に至るインク流路を開閉する弁である。このインク弁９１は、弁駆動回路８４からの駆動信号に基づき開閉する。制御部７０は、インク残量センサ５７及びインク残量検出回路８２から出力されるインク残量信号に基づき、インク弁９１を閉から開に切り替え、メインインクタンク４０からサブインクタンク５０にインクを供給させる。
【００４２】
ポンプ９２は、メインインクタンク４０からサブインクタンク５０にインク圧送するためのポンプである。このポンプ９２は、ポンプ駆動回路８５からの駆動信号に基づきポンプ９２を駆動させる。
【００４３】
次に、本実施形態ではヒータ５５を用いてインクハウジング５２内部のインクを加熱し、インクの粘性を低下させてインクの流動性を向上させるとしたがこの理由について説明する。
【００４４】
本実施形態の静電アクチュエータ型インクジェット記録装置１に用いられるインクのインク粘度は、インク流路内の気泡排出性を高め、インク吐出性を高めるために、２５℃において、１．５〜９ｍＰａ・ｓであり、好ましくは１．５〜５ｍＰａ・ｓであり、より好ましくは２〜３ｍＰａ・ｓである。
【００４５】
図７に示すように、本実施形態のインクは、一例を挙げると、２５℃で粘度が２．６５ｍＰａ・ｓ程度となっている。一般に、インクは温度が低下するとともに粘度が高くなっており、図６のインクにおいても、温度の低下につれて粘度が高くなっているのがわかる。このようにインクの粘度が高くなると、一般にはインクの流動性が低下しインクの流れ（流速）が低下する。
【００４６】
また、インクジェットプリンタでは、一般的にメインインクタンク４０からインクジェットヘッド２０のインクノズル３１に至るインク流路中に気泡等が発生し、インクの吐出性を低下させるという問題がある。この気泡をインク流路から排出してインクの吐出性向上を図るために、キャップ装置１８を用いたインク吸引やフラッシング動作が為されるが、インク流路内におけるインクの流れが悪い、すなわちインクの流速が低いと気泡の排出性が低下し、気泡が十分に排出されないまま印刷が行われてドット抜けが生じるという問題もある。
【００４７】
そこで、本実施形態では、サブインクタンク５０にてインクの温度を加熱することにより、インクの粘度を低下させ、インクの流れをよくして気泡の排出性を向上させるように構成させている。ここでは、インクの温度が２５℃以上となるように加熱してやることにより、インクの粘度が１．５〜９ｍＰａ・ｓ、好ましくは１．５〜５ｍＰａ・ｓ、より好ましくは２〜３ｍＰａ・ｓとなるようにする。このサブインクタンク５０は、常時インクの温度を上昇させる用に構成させることは可能であるが、気泡排出性を考慮すると、少なくともインクジェットヘッドのクリーニング時やインクカートリッジの交換時にインクの温度を加熱するように構成しても良い。
特に、インクの加熱には相応の電力が必要となるため、省電力型のインクジェットプリンタとする場合には、インクジェットヘッドのクリーニング時やインクカートリッジの交換時等のみにインクの温度を加熱するようにすることが好ましい。
【００４８】
また、本実施形態では、制御部７０は、ヒータ駆動回路８３及びヒータ５５を介してサブインクタンク５０内のインク温度が所定温度以上になるまで加熱するために、温度センサ５６及び温度検出回路８１が検出したインク温度に基づき、ヒータ５５の加熱時間を設定するように構成されている。
【００４９】
例えば、図８に示すように、インクの加熱前の温度が５℃，１０℃，１５℃のインクは、同じヒータを用いて加熱をしても温度上昇度合いが異なり、所定温度（図８では、２５℃）まで加熱するために必要なヒータの駆動時間が異なる。本実施形態では、制御部７０は、所定温度まで加熱するために必要なヒータの駆動時間が初期温度毎にテーブル化してＲＯＭ７１内に保存されており、温度センサ５６により検出される初期温度とこのテーブルとに応じてヒータ５５の駆動時間が決定され、ヒータ５５が駆動される。すなわち、本実施形態では、制御部７０は、内部のインクの特性と加熱前温度とに応じて、ヒータ５５による加熱時間を決定するようにプログラミングされている。
【００５０】
例えば、初期温度が５℃の場合には、制御部７０は、テーブルを参照してヒータ加熱時間をΔｔ３に設定する。ヒータ５５がΔｔ３時間の間駆動されると、サブインクタンク５５内のインクの温度は２２．５℃程度まで上昇し、その後ヒータ５５及び周囲の壁部５２ｂの予熱により加熱されて２５℃に達するように構成されている。このように、構成することにより、インクの粘性が低下し、インクの流動性が向上して、気泡の抜けが良くなる。
【００５１】
なお、図８では、ある色のインクについて示したが、色が異なればインクの成分も異なり、所定温度まで加熱するために必要なヒータの駆動時間も異なっている。したがって、複数の色を印刷する場合には、各色毎に、所定温度まで加熱するために必要なヒータの駆動時間を初期温度毎にテーブル化してＲＯＭ７１内に保存しておく。
【００５２】
また、本実施形態のサブインクタンク５０は、インクを貯留する内壁面５２ｃ上に二種類の加工が施されている。具体的には、図５に示すように、内壁面５２ｃの下方側Ｘにはインクに対する濡れ性の高いコーティング加工が施されており、一方内壁面５２ｃの上方側Ｙにはインクをはじく撥水性の高いコーティング加工が施されている。このように構成することにより、サブインクタンク５０内においてインクがなるべく上方から下方に滑り落ちるようにするとともに、インクと内壁面５２ｃとの間に気泡が滞留せず、気泡がサブインクタンク５０内のインク上面の大気側に素早く移動するようにして、サブインクタンク５０からインク送出口５３に気泡が流入するのを防ぎ、供給チューブ１９を介してインクとともにインクジェットヘッド２０内部に気泡が搬送されることを防いでいる。これにより、サブインクタンク５０に起因するインクジェットヘッド２０への気泡の混入量を減少させ、インクジェットヘッド２０のインク吐出性を向上させている。
【００５３】
次に、図９を参照しながら、本実施形態の静電アクチュエータ型インクジェット記録装置１における具体的な動作のフローを説明する。以下の説明では、インク充填時、ヘッドクリーニング時におけるクリーニング実行のフローを説明する。
【００５４】
まず、静電アクチュエータ型インクジェット記録装置１は、クリーニングを実行する前処理として、サブインクタンク５０内のインクの温度を温度センサ５６を介して検出する（ステップＳ１）。そして、制御部７０が、検出された温度値が所定値以下であるかを判断する（ステップＳ２）。制御部７０は、この検出された温度値を所定値と比較することにより、サブインクタンク５０内のインクの粘度が所定値以上となっているかを判断する。
【００５５】
ステップＳ２において、インクの温度が所定値よりも高ければ、ステップＳ７に移行し、所定のクリーニング動作を行う。所定のクリーニング動作が行われることにより、インク流路内の気泡が排出され、静電アクチュエータ型インクジェット記録装置１のインク吐出性を向上させることができる。
【００５６】
一方、ステップＳ２において、インクの温度が所定値以下であれば、ステップＳ３〜ステップＳ６に移行し、インクの温度を上昇させてインクの粘度を低下させる処理を行う。具体的には、制御部７０は、ＲＯＭ７１内に記憶されたテーブルを参照して、インクの温度を所定値以上とするまでに必要な加熱時間を求め（ステップＳ３）、そしてヒータ駆動回路８３にヒータ５５を駆動するように指示する。これにより、ヒータ５５に電流が流れ、インクの加熱が開始される（ステップＳ４）。
【００５７】
制御部７０は、ステップＳ３で求めた加熱時間が経過したかどうかを監視し（ステップＳ５）、加熱時間が経過するとステップＳ６に移行してヒータ駆動回路８３にヒータ５５の駆動を停止するように指示する。ヒータ５５は、その後予熱により、インクの加熱を継続し最終的にインクの温度は所定値以上となる。
【００５８】
インクの温度が所定値以上となると、ステップＳ７に移行し、所定のクリーニング動作を行う。所定のクリーニング動作が行われることにより、インク流路内の気泡が排出され、静電アクチュエータ型インクジェット記録装置１のインク吐出性を向上させることができる。
【００５９】
なお、上記説明では、インクの加熱前温度に応じてヒータ５５の駆動時間を決定するとして説明を行ったが、これに限られることはなく、温度センサ５６によりリアルタイムで温度値を検出し、この検出された温度値に応じてヒータ５５のＯＮ／ＯＦＦをフィードバック制御するように構成しても良い。
【実施例】
【００６０】
以下、本発明にかかる静電アクチュエータ型インクジェット記録装置に用いられるインクについて、実施例及び比較例を挙げて説明する。
【００６１】
（１．インク）
実施例及び比較例に使用したインクと、そのインクの粘度の温度特性を表１に示す。本実施例及び比較例では、ＴＭ−Ｃ１００（セイコーエプソン製）搭載のインク組成において、グリセリン量とイオン交換水量を調整してインクを作成した。なお、以下の表１において、各温度あたりの粘度の単位は、（ｍＰａ・ｓ）である。
【００６２】
【表１】
2006095876.tif 000003
【００６３】
表１より、実施例１〜３及び比較例１〜２のインク全てについて、温度が上昇すると粘度が低下していることがわかる。
【００６４】
なお、実施例１、２、３、及び比較例１、２のインク組成物は、表２に示す割合で各成分を混合し、室温で１時間攪拌して調製した。表２に示す添加量は全て重量％濃度として表されており、顔料分散液は固形分濃度で表されている。また、イオン交換水の「残量」とは、インク全量が１００部となるようにイオン交換水を加えることを意味する。顔料分散液は、マイクロジェットＣＷ−１（商品名；オリエント化学工業（株）製）を使用した。
【００６５】
【表２】
2006095876.tif 000004
【００６６】
（２．インク流速）
実施例及び比較例に使用したインク流速の温度特性を表３に示す。ＴＭ−Ｃ１００搭載の吸引ポンプにて、単位時間当たりの吸引インク量から、インク流速を求めた。なお、以下の表３においてインク流速の単位は、ｇ／ｓである。
【００６７】
【表３】
2006095876.tif 000005
【００６８】
（３．気泡排出試験結果）
次に、実施例及び比較例の気泡排出試験結果を表４に示す。ＴＭ−Ｃ１００のインクジェットヘッドからインクカートリッジ間のインクチューブ内に、意図的に気泡を入れて、所定のクリーニング動作で気泡が排出できるか確認した。
【００６９】
【表４】
2006095876.tif 000006
○：気泡が排出できた。
×：気泡がインク流路内に残っていた。
【００７０】
表４より、実施例１〜３のインクでは５℃から４５℃の全ての領域において、気泡は排出されたが、比較例１のインクでは５℃において、そして比較例２のインクでは、５，１０，１５℃において気泡がインク流路に残留してしまい排出されなかった。
【００７１】
以上の結果から、インク流速が０．１ｇ／ｓ以下になると、クリーニング動作において気泡が排出できないことがあることがわかった。上記表１と表３を用いてインク流速を粘度に換算すると、９ｍＰａ・ｓを越えると、クリーニング動作において気泡が排出できないことがあるといえる。
【００７２】
しかしながら、表４から、実施例１〜３のインク及び比較例１〜２のインク全てについて、温度が２０℃より高くなると、最も高い粘度は８．３ｍＰａ・ｓと、全て９ｍＰａ・ｓ以下となり、気泡が良好に排出されたことがわかる。実際には、気泡排出性だけではなく、高印字品質を求めるのであれば、２５℃におけるインク粘度が２〜３ｍＰａ・ｓであり、プリンタ使用環境における粘度変化が１．３〜４．０ｍＰａ・ｓがより望ましい。
【図面の簡単な説明】
【００７３】
【図１】本発明にかかる実施形態の静電アクチュエータ型インクジェットプリンタの部分外観斜視図である。
【図２】インクジェットヘッドの要部断面図である。
【図３】本実施形態の静電アクチュエータ型インクジェットプリンタにおけるインク供給流路を模式的に示したブロック図である。
【図４】サブインクタンクの概要を示す模式的断面図である。
【図５】サブインクタンクの部分断面斜視図である。
【図６】本実施形態の静電アクチュエータ型インクジェットプリンタのサブタンクを介したインク供給制御に関するブロック図である。
【図７】本実施形態の条件を満たすインクの粘度の温度依存性を示すグラフ例である。
【図８】加熱時間とインク温度の関係を示すグラフ例である。
【図９】本実施形態の静電アクチュエータ型インクジェット記録装置における動作フローを説明するフローチャートである。
【符号の説明】
【００７４】
１  静電型インクジェットプリンタ
１１  筐体
１１  キャリッジ
２０  インクジェットヘッド
４０  メインインクタンク
５０  サブインクタンク
５５  ヒータ
５６  温度センサ
５７  インク残量センサ
７０  制御部
８１  温度検出回路
８２  インク残量検出回路
８３  ヒータ駆動回路
【図１】
2006095876.tif 000007
【図２】
2006095876.tif 000008
【図３】
2006095876.tif 000009
【図４】
2006095876.tif 000010
【図５】
2006095876.tif 000011
【図６】
2006095876.tif 000012
【図７】
2006095876.tif 000013
【図８】
2006095876.tif 000014
【図９】
2006095876.tif 000015